(57)【要約】【課題】設置面に対して傾きや浮き上がりを生じさせることなく、玉枠３１を玉枠保持用治具４１に固定するとともに、レンズの調心や光学性能測定時の作業性を向上させる。【解決手段】少なくとも１個のレンズＬ１を保持する玉枠３１は、レンズＬ１の調心または光学性能測定時に、玉枠保持用治具４１の複数の保持部材４３によって設置面４２ａに平行な方向に外周面３２を挟み込まれて固定される。玉枠３１の外周面３２において、少なくとも複数の保持部材４３で挟み込まれる部位には、テーパー部３２ａが形成されている。テーパー部３２ａは、設置面４２ａから離れるにつれてレンズＬ１の光軸ＡＸに近づく方向に傾斜している。【選択図】図３
2012093565.tif 000002
【特許請求の範囲】
【請求項１】
少なくとも１個のレンズを保持し、前記レンズの調心または光学性能測定時に、玉枠保持用治具の複数の保持部材によって設置面に平行な方向に外周面を挟み込まれて固定される玉枠であって、
前記外周面において、少なくとも前記複数の保持部材で挟み込まれる部位には、前記設置面から離れるにつれて前記レンズの光軸に近づく方向に傾斜したテーパー部が形成されていることを特徴とする玉枠。
【請求項２】
前記テーパー部は、平面で構成されていることを特徴とする請求項１に記載の玉枠。
【請求項３】
前記テーパー部の光軸に対するテーパー角度は、５度以上４５度以下であることを特徴とする請求項２に記載の玉枠。
【請求項４】
請求項１から３のいずれかに記載の玉枠が設置される設置面と、
前記設置面に平行な方向に前記玉枠の外周面の前記テーパー部を挟み込む複数の保持部材とを備えていることを特徴とする玉枠保持用治具。
【請求項５】
前記各保持部材における前記テーパー部との接触側端面は、前記テーパー部に沿った面で形成されていることを特徴とする請求項４に記載の玉枠保持用治具。
【請求項６】
前記各保持部材における前記テーパー部との接触側端面は、前記玉枠が保持するレンズの光軸周りに前記テーパー部と線接触する形状で形成されていることを特徴とする請求項４に記載の玉枠保持用治具。
【請求項７】
前記複数の保持部材は、
前記玉枠の前記テーパー部を前記設置面に平行な方向に押圧するように移動する可動側保持部材と、
前記設置面を有する受け部に固定され、前記玉枠に対して前記可動側保持部材とは反対側で前記玉枠の前記テーパー部と接触する固定側保持部材とで構成されていることを特徴とする請求項４から６のいずれかに記載の玉枠保持用治具。
【請求項８】
前記複数の保持部材は、２つの保持部材で構成されており、
一方の保持部材は、前記玉枠が保持するレンズの光軸に垂直な面内の１か所で、前記玉枠の前記テーパー部と接触し、
他方の保持部材は、前記面内の２か所で、前記玉枠の前記テーパー部と接触することを特徴とする請求項４から７のいずれかに記載の玉枠保持用治具。
【請求項９】
前記一方の保持部材は、前記光軸に垂直な面内で一方向に伸びて形成されており、
前記他方の保持部材は、前記面内で前記一方向とは垂直な方向に押圧されたときに、前記玉枠の前記テーパー部と前記面内の２か所で接触する、前記面内でＶ字形の端面を有して形成されていることを特徴とする請求項８に記載の玉枠保持用治具。
【請求項１０】
前記複数の保持部材は、３つ以上の保持部材からなり、
各保持部材は、同形状で構成されるとともに、前記玉枠が保持するレンズの光軸周りに等間隔で配置され、それぞれ前記レンズの径方向に移動して前記玉枠の保持およびその解除を行うことを特徴とする請求項４から６のいずれかに記載の玉枠保持用治具。
【請求項１１】
請求項４から１０のいずれかに記載の玉枠保持用治具を備え、少なくとも１個のレンズを保持した玉枠を、前記玉枠保持用治具に固定した状態で、前記レンズの調心を行うことを特徴とするレンズ調心装置。
【請求項１２】
請求項４から１０のいずれかに記載の玉枠保持用治具を備え、少なくとも１個のレンズを保持した玉枠を、前記玉枠保持用治具に固定した状態で、前記レンズの光学性能を測定することを特徴とする光学性能測定装置。
【発明の詳細な説明】
【技術分野】
【０００１】
本発明は、少なくとも１個のレンズを保持する玉枠と、上記玉枠が保持、固定される玉枠保持用治具と、上記玉枠保持用治具を用いてレンズの調心を行うレンズ調心装置と、上記玉枠保持用治具を用いて光学性能を測定する光学性能測定装置とに関するものである。
【背景技術】
【０００２】
レンズユニットの組立においては、レンズを平行偏心させたり、基準面に沿って傾き偏心させるレンズ調整（いわゆる調心）が行われ、これによって収差が調整され、光学性能が確保される。このようなレンズの調心を行う装置は、例えば特許文献１または２に開示されている。
【０００３】
特許文献１の装置は、レンズを保持した玉枠を、装置の受け部（凹部）に部分的に嵌合させて受け部に固定した後、レンズを上から押さえ付けて調心を行う構成となっている。また、特許文献２の装置は、レンズを保持した玉枠の下面を受けながら、玉枠を左右からクランプすることで玉枠を固定し、この状態でレンズの調心を行う構成となっている。
【０００４】
また、レンズの玉枠を保持する機構としては、例えば特許文献３に開示されたものがある。特許文献３の保持機構は、第１の押圧用治具によって玉枠の外周面を水平に押圧するとともに、第１の押圧用治具の押圧による玉枠の移動を、玉枠の外周面に形成された突起を第２の押圧用治具の係止部に当接させることによって阻止している。そして、第１の押圧用治具をボルトの締め付けによって下方に移動させることにより、玉枠の外周面に形成された他の突起を第１の押圧用治具の係止部と当接させ、これによって玉枠を保持する構成となっている。
【先行技術文献】
【特許文献】
【０００５】
【特許文献１】特開２００４−１７７４２２号公報
【特許文献２】特開２００８−１６５０８７号公報
【特許文献３】特開２００７−８６２５９号公報
【発明の概要】
【発明が解決しようとする課題】
【０００６】
ところで、図１０（ａ）は、玉枠１０１が玉枠保持用治具１０２に適切に保持されている状態を示し、図１０（ｂ）は、玉枠１０１が設置面１０２ａ（または光軸）に対して傾いて玉枠保持用治具１０２に保持されている状態を示し、図１０（ｃ）は、玉枠１０１が設置面１０２ａから浮き上がって玉枠保持用治具１０２に保持されている状態を示している。図１０（ｂ）に示すように、調心対象となるレンズ１０３を保持する玉枠１０１の位置決めが適切になされず、設置面１０２ａに対して傾いた状態で玉枠１０１が玉枠保持用治具１０２にて保持されると、レンズ１０３の調心を正確に行うことはできない。また、玉枠１０１が傾いていなくても、図１０（ｃ）に示すように、設置面１０２ａから浮き上がった状態であると、複数のレンズを備えた製品を想定して、レンズ１０３の前後に別のレンズを配置して、光学性能を測定しようとする場合に、レンズ１０３の光軸方向の位置が適切でないため、光学性能を精度よく測定することができない。
【０００７】
したがって、レンズ１０３の調心や光学性能の測定を行うにあたっては、図１０（ａ）に示すように、玉枠保持用治具１０２の設置面１０２ａに対して傾きや浮き上がりを生じさせずに玉枠１０１を精度よく位置決めし、固定することが必要となる。
【０００８】
ところが、特許文献１および２の装置では、玉枠保持用治具１０２の設置面１０２ａに対する玉枠１０１の傾きや浮き上がりへの対策が十分ではなく、レンズ１０３の調心や光学性能の測定を精度よく行うことができないという問題が生ずる。
【０００９】
つまり、特許文献１の装置は、調心対象となるレンズのみを上方から押圧する機構を有しており、玉枠自体を上方から押圧する機構を有していない。この場合、玉枠の治具への位置決めは、専ら、玉枠の受け部への嵌合のみによって行われ、玉枠が傾いたまま治具に嵌合、固定される可能性がある。また、玉枠が傾かなくても、治具への嵌合が不十分な場合は、玉枠が設置面から浮いた状態となる。したがって、これらの場合はレンズの調心や光学性能の測定を精度よく行うことができない。
【００１０】
また、特許文献２の装置については、玉枠を上方から押さえ付ける機構を有していないが、左右から玉枠がクランプされることで、玉枠の傾きは解消される場合がある。しかし、玉枠の傾きは解消されても、玉枠が設置面から浮いた状態で治具に保持される場合があり、この場合は、光学性能の測定を精度よく行うことができない。
【００１１】
また、特許文献３の保持機構では、玉枠を保持機構で保持するに際して、第１の押圧用治具によって玉枠を水平方向に押圧する操作と、第１の押圧用治具をボルトの締め付けによって突起と当接するまで下方に移動させる操作との別々の操作が最低必要となり、操作性が悪い。このため、上記の保持機構をレンズの調心装置や光学性能の測定装置に適用したときに、レンズの調心や光学性能測定時の作業性が低下するという問題が生ずる。
【００１２】
本発明は、上記の問題点を解決するためになされたもので、その目的は、設置面に対して傾きや浮き上がりを生じさせることなく玉枠保持用治具に固定することが可能で、レンズの調心や光学性能測定時の作業性を向上させることができる玉枠と、その玉枠を保持、固定する玉枠保持用治具と、その玉枠保持用治具を備えてレンズの調心を行うレンズ調心装置と、その玉枠保持用治具を備えて光学性能を測定する光学性能測定装置とを提供することにある。
【課題を解決するための手段】
【００１３】
本発明の玉枠は、少なくとも１個のレンズを保持し、前記レンズの調心または光学性能測定時に、玉枠保持用治具の複数の保持部材によって設置面に平行な方向に外周面を挟み込まれて固定される玉枠であって、前記外周面において、少なくとも前記複数の保持部材で挟み込まれる部位には、前記設置面から離れるにつれて前記レンズの光軸に近づく方向に傾斜したテーパー部が形成されていることを特徴としている。
【００１４】
本発明の玉枠において、前記テーパー部は、平面で構成されていてもよい。
【００１５】
本発明の玉枠において、前記テーパー部の光軸に対するテーパー角度は、５度以上４５度以下であることが望ましい。
【００１６】
本発明の玉枠保持用治具は、上述した本発明の玉枠が設置される設置面と、前記設置面に平行な方向に前記玉枠の外周面の前記テーパー部を挟み込む複数の保持部材とを備えていてもよい。
【００１７】
本発明の玉枠保持用治具において、前記各保持部材における前記テーパー部との接触側端面は、前記テーパー部に沿った面で形成されていてもよい。
【００１８】
本発明の玉枠保持用治具において、前記各保持部材における前記テーパー部との接触側端面は、前記玉枠が保持するレンズの光軸周りに前記テーパー部と線接触する形状で形成されていてもよい。
【００１９】
本発明の玉枠保持用治具において、前記複数の保持部材は、前記玉枠の前記テーパー部を前記設置面に平行な方向に押圧するように移動する可動側保持部材と、前記設置面を有する受け部に固定され、前記玉枠に対して前記可動側保持部材とは反対側で前記玉枠の前記テーパー部と接触する固定側保持部材とで構成されていてもよい。
【００２０】
本発明の玉枠保持用治具において、前記複数の保持部材は、２つの保持部材で構成されており、一方の保持部材は、前記玉枠が保持するレンズの光軸に垂直な面内の１か所で、前記玉枠の前記テーパー部と接触し、他方の保持部材は、前記面内の２か所で、前記玉枠の前記テーパー部と接触する構成であってもよい。
【００２１】
本発明の玉枠保持用治具において、前記一方の保持部材は、前記光軸に垂直な面内で一方向に伸びて形成されており、前記他方の保持部材は、前記面内で前記一方向とは垂直な方向に押圧されたときに、前記玉枠の前記テーパー部と前記面内の２か所で接触する、前記面内でＶ字形の端面を有して形成されていてもよい。
【００２２】
本発明の玉枠保持用治具において、前記複数の保持部材は、３つ以上の保持部材からなり、各保持部材は、同形状で構成されるとともに、前記玉枠が保持するレンズの光軸周りに等間隔で配置され、それぞれ前記レンズの径方向に移動して前記玉枠の保持およびその解除を行う構成であってもよい。
【００２３】
本発明のレンズ調心装置は、上述した本発明の玉枠保持用治具を備え、少なくとも１個のレンズを保持した玉枠を、前記玉枠保持用治具に固定した状態で、前記レンズの調心を行う構成であってもよい。
【００２４】
本発明の光学性能測定装置は、上述した本発明の玉枠保持用治具を備え、少なくとも１個のレンズを保持した玉枠を、前記玉枠保持用治具に固定した状態で、前記レンズの光学性能を測定する構成であってもよい。
【発明の効果】
【００２５】
本発明によれば、玉枠の外周面にテーパー部が形成されているので、複数の保持部材で玉枠のテーパー部を設置面に平行な方向で挟み込んだときに、玉枠を設置面に押し付ける力が働き、これによって、玉枠に傾きや浮き上がりが生じることなく、設置面上に玉枠を固定することができる。したがって、設置面に平行な方向のみならず垂直な方向についても玉枠を適切に位置決めすることができ、レンズの調心や光学性能の測定を精度よく行うことができる。しかも、複数の保持部材による玉枠の挟み込みと、玉枠の設置面への押し付けとを一度の操作で行うことができるので、それらを別々の操作で行う場合に比べて、レンズの調心や光学性能測定時における作業性を向上させることができる。
【図面の簡単な説明】
【００２６】
【図１】本発明の実施の一形態に係るレンズ調心装置の概略の構成を模式的に示す説明図である。
【図２】少なくとも１個のレンズを保持する玉枠の概略の構成を示す断面図である。
【図３】上記玉枠を保持する玉枠保持用治具の概略の構成を示す断面図である。
【図４】（ａ）〜（ｄ）は、上記玉枠の形状のバリエーションを示す断面図である。
【図５】上記玉枠保持用治具の他の構成を示す断面図である。
【図６】（ａ）〜（ｃ）は、１個の保持部材と受け部とが一体化された玉枠保持用治具に上記玉枠を固定する手順を示す断面図である。
【図７】図６（ｃ）の状態での上記玉枠保持用治具および上記玉枠の斜視図である。
【図８】（ａ）は、上記玉枠保持用治具の他の構成を示す断面図であり、（ｂ）は、図８（ａ）の玉枠保持用治具の平面図である。
【図９】（ａ）は、上記玉枠保持用治具のさらに他の構成を示す断面図であり、（ｂ）は、図９（ａ）の玉枠保持用治具の平面図である。
【図１０】（ａ）は、玉枠が玉枠保持用治具に適切に保持されている状態を示す断面図であり、（ｂ）は、玉枠が設置面に対して傾いて玉枠保持用治具に保持されている状態を示す断面図であり、（ｃ）は、玉枠が設置面から浮き上がって玉枠保持用治具に保持されている状態を示す断面図である。
【発明を実施するための形態】
【００２７】
本発明の実施の形態について、図面に基づいて説明すれば以下の通りである。
【００２８】
〔レンズ調心装置の構成〕
図１は、本発明の実施の一形態に係るレンズ調心装置の概略の構成を示している。このレンズ調心装置において、光源１が発した光のうち、ピンホール板２を通過した光は、ＮＤフィルタ３、コリメータレンズ４を透過して平行光Ｒとなり、ミラー５により反射され下方に向かう平行光Ｒ’となる。
【００２９】
ミラー５の下方には、不透明で平板状のチャート１７が、その面が光軸に垂直になるように配置されている。チャート１７の中心点と、これを中心とする輪帯上において周方向に等間隔に並ぶ８点には、ピンホールが施されている。チャート１７の下方には、後述する玉枠３１を保持、固定した玉枠保持用治具４１が配置される。玉枠３１が保持するレンズＬ１は、調整治具７によって調心される。なお、調心とは、レンズの平行偏心、基準面に沿って傾ける回転偏心等によるレンズの位置調整や光軸調整を含む。
【００３０】
上記の平行光Ｒ’は、チャート１７によって一部が遮られ、チャート１７の中心点と８点のピンホールとを通過した合計９本の光線だけが、玉枠３１が保持するレンズＬ１・Ｌ２を通過して任意の位置の像面１８に結像する。
【００３１】
像面１８の下方には、光軸を合わせて顕微鏡レンズ１２が配置されており、さらにその下方には、受光部としてのＣＣＤカメラ１３が、その受像面が光軸に垂直になるように配置されている。顕微鏡レンズ１２、ＣＣＤカメラ１３、フォーカス軸２３は、粗調心二軸２２によって動くＸ−Ｙテーブル（図示せず）に搭載されており、これに連動する。粗調心二軸２２を動かすことにより、ＣＣＤカメラ１３の受像面内に像をとらえることができる。
【００３２】
ＣＣＤカメラ１３は、受像面上に得られた像をビデオ信号Ｓ１に変換し、これを画像処理部１４に与える。画像処理部１４は、ビデオ信号Ｓ１に基づいて、照射点に位置する画素のように所定の閾値より照度の高い画素には「１」を与え、その他の照度の低い画素には「０」を与えて各画素における照度の２値化を行い、各画素の２値「１」、「０」で与えられる照度の情報を有する信号Ｓ２を生成し、演算処理部１５に与える。
【００３３】
演算処理部１５は、マイクロコンピューターから構成され、調心を進めるため信号Ｓ４、Ｓ５、Ｓ６を生成し、微調心二軸２１、粗調心二軸２２、フォーカス軸２３を駆動させるソフトウェアを有している。表示部１６は、演算処理部１５から与えられる信号Ｓ７に従って表示を行う。
【００３４】
一方、微調心二軸２１、粗調心二軸２２、フォーカス軸２３は、サーボモーター（図示せず）またはパルスモーター（図示せず）の動力で駆動する。微調心二軸２１は、演算処理部１５から与えられる信号Ｓ４に基づいて、前後と左右の２軸の方向に動き、調整治具７に接触しているレンズＬ１を微動させ、調心を行う。粗調心二軸２２は、演算処理部１５から与えられる信号Ｓ５に基づいて、前後と左右の２軸の方向に顕微鏡レンズ１２、ＣＣＤカメラ１３、フォーカス軸２３を移動させるが、ＣＣＤカメラ１３の受像面内に像が入ると、移動を止めてその位置を維持する。フォーカス軸２３は、演算処理部１５から与えられる信号Ｓ６に基づいて、上下の１軸の方向にＣＣＤカメラ１３を移動させて、ＣＣＤカメラの受像面上に得られる像の大きさを変えることができる。必要な大きさの像が得られると、ＣＣＤカメラ１３の上下方向の移動を止めてその位置を維持する。
【００３５】
このようにして、微調心二軸２１、粗調心二軸２２、フォーカス軸２３の駆動による調心結果は、常時ＣＣＤカメラ１３、画像処理部１４を介して演算処理部１５に取り込まれる。これに基づいて、演算処理部１５は微調心二軸２１、粗調心二軸２２、フォーカス軸２３に対してフィードバックをかけて繰り返し光軸調整を行う構成となっている。
【００３６】
なお、紫外線照射ユニット６は、調心中は調心対象のレンズＬ１の上方に設置されて、その片隅に待避している。調心が完了すると、演算処理部１５から与えられる信号Ｓ８による指示に基づき、紫外線照射ユニット６はレンズＬ１の真上に移動して、玉枠３１内の紫外線硬化型の接着剤に紫外線を照射し、接着剤を硬化させる。これにより、レンズＬ１が玉枠３１に固定される。
【００３７】
また、演算処理部１５は、レンズＬ１・Ｌ２を透過した光をＣＣＤカメラ１３で受光することにより、レンズＬ１・Ｌ２を含む光学系の光学性能（例えば収差）を同時に測定することができる。この場合、本実施形態のレンズ調心装置は、光学性能測定装置としても機能することになる。なお、３個以上のレンズまたはレンズ群を有する製品を考慮して、玉枠３１の前後に他のレンズを配置して、それらのレンズを全て含む光学系の光学性能を測定するようにしてもよい。つまり、上記したレンズ調心装置では、レンズを含む光学系の光学性能を測定しながら、レンズの調心を行うことができる。
【００３８】
〔玉枠および玉枠保持用治具の構成〕
次に、本実施形態の上述した玉枠３１および玉枠保持用治具４１の構成について説明する。図２は、玉枠３１の概略の構成を示す断面図であり、図３は、玉枠３１を保持する玉枠保持用治具４１の概略の構成を示す断面図である。なお、以下での説明の便宜上、レンズＬ１・Ｌ２の光軸ＡＸに沿った方向のことを、通常は上下方向となることから垂直方向とも称し、光軸ＡＸに垂直な面内での方向のことを、左右方向、前後方向を含めて水平方向とも称することとする。
【００３９】
玉枠３１は、少なくとも１個のレンズを保持しており、上述したように本実施形態では、２個のレンズＬ１・Ｌ２を保持している。玉枠３１は、これらのレンズＬ１・Ｌ２を保持した状態で、玉枠保持用治具４１の受け部４２の設置面４２ａ上に設置される。そして、玉枠３１は、レンズＬ１の調心またはレンズＬ１を含む光学系の光学性能測定時に、玉枠保持用治具４２の複数（図３では２個）の保持部材４３によって設置面４２ａに平行な方向（水平方向）で外周面３２を挟み込まれることによって固定される。
【００４０】
ここで、玉枠３１の外周面３２には、テーパー部３２ａが形成されている。テーパー部３２ａは、設置面４２ａから離れるにつれてレンズＬ１・Ｌ２の光軸ＡＸに近づく方向に傾斜して形成されている。このようなテーパー部３２ａは、本実施形態では、平面（円錐台の側面）で構成されているが、曲面で構成されてもよい。
【００４１】
また、本実施形態では、外周面３２において、複数の保持部材４３と接触する部位にテーパー部３２ａが形成されているが、少なくともその部位を含むように、外周面３２に形成されていればよい。したがって、テーパー部３２ａは、外周面３２の全体に形成されていてもよい。より具体的に説明すると、以下の通りである。
【００４２】
図４（ａ）〜図４（ｄ）は、テーパー部３２ａの形状のバリエーションの具体例をそれぞれ示している。テーパー部３２ａは、外周面３２の全体に平面で形成されていてもよいし（図４（ａ）参照）、設置面４２ａから離れるにつれて外径が減少する際の変化量が小さくなる曲面で形成されてもよいし（図４（ｂ）参照）、設置面４２ａから離れるにつれて外径が減少する際の変化量が大きくなる曲面で形成されてもよいし（図４（ｃ）参照）、設置面４２ａから離れるにつれて外径が減少する際の変化量が大きくなる曲面と、上記変化量が小さくなる曲面とが連続した形状で形成されてもよい（図４（ｄ）参照）。また、これらのテーパー部３２ａの形状は、外周面３２の一部にのみテーパー部３２ａを形成する場合にも勿論適用することができる。
【００４３】
なお、図３では、玉枠３１のテーパー部３２ａの一部（例えば設置面４２ａ側）を、光軸ＡＸに平行な面でカットして、テーパー部３２ａの水平方向の出っ張りを無くすようにしている。
【００４４】
玉枠保持用治具４１は、図３で示したように、受け部４２と、複数の保持部材４３とを有して構成されており、玉枠３１を保持した状態で上述したレンズ調心装置の所定位置にセットされる。なお、玉枠保持用治具４１は、レンズ調心装置に対して取り外し可能であってもよいし、レンズ調心装置の所定位置に常に固定されていてもよい。
【００４５】
受け部４２は、設置面４２ａを有しており、上述した玉枠３１を上方から設置面４２ａで受ける。また、受け部４２は、開口部４２ｂを有しており、レンズＬ１・Ｌ２を透過する光が、開口部４２ｂの内側を通って上述したＣＣＤカメラ１３（図１参照）に導かれる構成となっている。上記した設置面４２ａは、開口部４２ｂの外側に位置しており、玉枠３１は、開口部４２ｂの外側で設置面４２ａに設置されることになる。
【００４６】
各保持部材４３は、光軸ＡＸ周りの異なる位置で、玉枠３１のテーパー部３２ａと接触して玉枠３１を保持する。このとき、複数の保持部材４３の少なくとも１つは、玉枠３１のテーパー部３２ａを設置面４２ａに平行な方向に押圧するように移動する押圧部材を兼ねている。例えば、保持部材４３を２つ設ける場合は、両方の保持部材４３が押圧部材として機能してもよいし、一方の保持部材４３のみが押圧部材として機能し、他方の保持部材が移動せずに固定された構成であってもよい。
【００４７】
また、本実施形態では、各保持部材４３におけるテーパー部３２ａとの接触側の端面４３ａは、玉枠３１のテーパー部３２ａに沿った面で形成されている。この結果、各保持部材４３は、玉枠３１を押圧、保持する際に、テーパー部３２ａと面接触することになる。
【００４８】
図５は、玉枠３１を保持する玉枠保持用治具４１の他の構成を示す断面図である。同図に示すように、各保持部材４３の端面４３ａは、玉枠３１のテーパー部３２ａと光軸ＡＸ周りに線接触する形状で形成されていてもよい。例えば、光軸ＡＸに平行な断面内で曲率を持つ形状で端面４３ａを形成することにより、端面４３ａとテーパー部３２ａとを光軸ＡＸ周りに線接触させることができる。なお、光軸ＡＸに平行な断面内で角部を持つ形状（例えば断面長方形状）で保持部材４３を形成し、上記角部をテーパー部３２ａに接触させるようにしてもよい。この場合でも、保持部材４３とテーパー部３２ａとを、光軸ＡＸ周りに線接触させることができる。
【００４９】
図６（ａ）（ｂ）（ｃ）は、玉枠保持用治具４１に玉枠３１を固定する手順を示す断面図であり、図７は、図６（ｃ）の状態での玉枠保持用治具４１および玉枠３１の斜視図である。なお、ここでは、玉枠保持用治具４１の受け部４２と、２個の保持部材４３の一方とが一体化されているものとする。この場合、２個の保持部材４３は、押圧部材として機能する可動側保持部材４３Ａと、受け部４２に固定される固定側保持部材４３Ｂとで構成されることになる。固定側保持部材４３Ｂは、玉枠３１に対して可動側保持部材４３Ａとは反対側の位置で、玉枠３１のテーパー部３２ａと接触するようになっている。
【００５０】
この構成において、玉枠３１を玉枠保持用治具４１に固定する際には、まず、図６（ａ）に示すように、可動側保持部材４３Ａを固定側保持部材４３Ｂから離れる方向に移動させ、可動側保持部材４３Ａと固定側保持部材４３Ｂとの間のスペースに上方から玉枠３１を入れる。そして、図６（ｂ）に示すように、玉枠３１を受け部４２の設置面４２ａに載置するとともに、玉枠３１のテーパー部３２ａを固定側保持部材４３Ｂの端面に接触させた後、玉枠３１の反対側のテーパー部３２ａを押圧するように可動側保持部材４３Ａを水平方向に移動させる。これにより、図６（ｃ）および図７に示すように、玉枠３１は、可動側保持部材４３Ａと固定側保持部材４３Ｂとで水平方向に挟まれて保持される。
【００５１】
このとき、本実施形態では、玉枠３１の外周面３２にテーパー部３２ａが形成されているので、複数の保持部材４３によって玉枠３１を水平方向に挟み込んだときに、玉枠３１には、水平方向の力だけでなく、玉枠３１を設置面４２ａに押し付ける垂直方向の力が働く。これにより、玉枠３１に傾きや浮き上がりを生じさせることなく、玉枠３１を設置面４２ａ上に固定することができ、玉枠３１の垂直方向の位置決めを適切に行うことができる。また、複数の保持部材４３によって玉枠３１を水平方向に挟み込むので、玉枠３１の水平方向の位置決めも適切になされる。したがって、玉枠３１を玉枠保持用治具４１にて精度よく保持、固定した状態で、調心や光学性能の測定を精度よく行うことができる。
【００５２】
しかも、複数の保持部材４３によって玉枠３１を挟み込む動作によって、同時に玉枠３１の設置面４２ａへの押し付けも行うことができ、玉枠３１の水平方向の位置決めと垂直方向の位置決めとを同時に行うことができる。これにより、水平方向の位置決めと垂直方向の位置決めとを別々の操作で行う場合に比べて、調心や光学性能の測定時における作業性を向上させることができる。
【００５３】
なお、レンズ調心装置における調心や光学性能の測定においては、上記のように玉枠３１は玉枠保持用治具４１の設置面４２ａ上に固定されているため、玉枠３１自体は移動せず、レンズＬ１のみが調整治具７によって動くことになる。
【００５４】
また、図２および図４（ａ）に示すように、テーパー部３２ａが平面で構成されている場合、可動側保持部材４３Ａがテーパー部３２ａの垂直方向（光軸ＡＸ方向）のどの高さ位置を水平方向に押圧しても、玉枠３１を設置面４２ａに押さえ付ける垂直方向の力は一定であるため、高さ方向の押圧位置に関係なく、常に一定の力で玉枠３１を設置面４２ａに押し付けることができる。また、調心等の際にテーパー部３２ａに接触させる保持部材４３として、テーパー部３２ａとの接触面（端面４３ａ）が平面の保持部材４３を用いることができ、複雑な形状の保持部材４３を用いなくても済み、また、保持部材４３の接触面に対して複雑な加工を施す必要もなくなる。
【００５５】
ところで、テーパー部３２ａの光軸ＡＸに対するテーパー角度θ（図２参照）は、５度以上４５度以下であることが望ましい。これは以下の理由による。テーパー角度θが５度未満であると、保持部材４３（可動側保持部材４３Ａ）でテーパー部３２ａを水平方向に押圧したときに生ずる垂直方向の力が弱くなり、設置面４２ａに対する玉枠３１の傾きや浮き上がりを抑える効果が少なくなる。一方、テーパー角度θが４５度を超えると、保持部材４３でテーパー部３２ａを水平方向に押圧したときに、保持部材４３よりも玉枠３１のほうが薄肉で材質もやわらかいため、玉枠３１に歪みが発生しやすくなり、玉枠３１を固定する際に、玉枠３１の位置決め精度が悪化する。したがって、テーパー角度が５度以上４５度以下であることにより、設置面４２ａに対する玉枠３１の傾きや浮き上がりを抑える効果を十分に得ながら、玉枠３１の位置決め精度を向上させることができる。
【００５６】
また、玉枠保持用治具４１の各保持部材４３は、設置面４２ａに平行な方向で玉枠３１のテーパー部３２ａを挟み込むので、玉枠３１の水平方向の位置決めを確実に行うことができるとともに、テーパー部３２ａとの接触によって生じる垂直方向の力により、玉枠３１の垂直方向の位置決めも確実に行うことができる。
【００５７】
また、複数の保持部材４３を可動側保持部材４３Ａと固定側保持部材４３Ｂとで構成することにより、他の固定側保持部材４３Ｂを動かさなくても、可動側保持部材４３Ａで玉枠３１を水平方向に押圧し、可動側保持部材４３Ａと固定側保持部材４３Ｂとで玉枠３１を挟み込むことによって、玉枠３１に傾きや浮き上がりが生じるのを抑えることができる。つまり、２つの保持部材４３のうちの一方を可動とし、他方を固定としても、玉枠３１を適切な位置で保持、固定することができる。
【００５８】
また、図３で示したように、各保持部材４３におけるテーパー部３２ａとの接触側の端面４３ａが、テーパー部３２ａに沿った面で形成されている場合、各保持部材４３は、テーパー部３２ａとの接触時に面接触する。これにより、各保持部材４３による玉枠３１の押圧や保持を安定して行うことができる。
【００５９】
また、図５で示したように、各保持部材４３におけるテーパー部３２ａとの接触側の端面４３ａが、光軸ＡＸ周りにテーパー部３２ａと線接触する形状で形成されている場合でも、各保持部材４３による玉枠３１の押圧や保持を十分に行うことができる。
【００６０】
〔玉枠保持用治具の他の構成例について〕
図８（ａ）は、玉枠保持用治具４１の他の構成を示す断面図であり、図８（ｂ）は、図８（ａ）の玉枠保持用治具４１の平面図である。玉枠保持用治具４１の２つの保持部材４３が２つの保持部材４３Ｃ・４３Ｄからなる場合において、一方の保持部材４３Ｃは、光軸ＡＸに垂直な面内の１か所（接触部Ａ１）で、玉枠３１のテーパー部３２ａと接触し、他方の保持部材４３Ｄは、上記面内の２か所（接触部Ａ２・Ａ３）で、玉枠３１のテーパー部３２ａと接触する構成であってもよい。
【００６１】
より具体的には、一方の保持部材４３Ｃは、光軸ＡＸに垂直な面内で一方向（Ｙ方向）に伸びて形成されており、受け部４２に固定された固定側保持部材となっている。他方の保持部材４３Ｄは、上記面内で上記一方向とは垂直な方向（Ｘ方向）に押圧されたときに、玉枠３１のテーパー部３２ａと上記面内の２か所で接触する、上記面内でＶ字形の端面４３Ｄ１を有して形成されており、保持部材４３Ｃ側に移動可能な可動側保持部材となっている。なお、ＸＹ面に垂直な方向をＺ方向とすると、Ｚ方向は光軸ＡＸに平行な方向である。
【００６２】
この構成であっても、可動側の保持部材４３Ｄを水平方向に移動させることによって、図６（ａ）（ｂ）（ｃ）と同様の手順で玉枠３１を玉枠保持用治具４１の設置面４２ａ上に保持、固定することができる。しかも、保持部材４３Ｃ・４３Ｄと玉枠３１のテーパー部３２ａとが光軸ＡＸ周りの合計３か所で接触するので、２つの保持部材４３の形状が異なる構成であっても、玉枠３１を安定して保持することができる。また、光軸ＡＸに垂直な面内の３点で玉枠３１を保持するので、玉枠３１の大きさが変化しても、玉枠３１を光軸ＡＸ周りの３か所で確実に保持することができ、種々の玉枠３１のサイズにも容易に対応することができる。
【００６３】
特に、一方の保持部材４３ＣをＹ方向に伸びる形状で形成し、他方の保持部材４３ＤをＸＹ平面内でＶ字形となる端面４３Ｄ１を有して形成することにより、保持部材４３Ｃ・４３Ｄが玉枠３１のテーパー部３２ａと光軸ＡＸ周りに合計３か所で接触する構成を確実に実現することができる。
【００６４】
図９（ａ）は、玉枠保持用治具４１のさらに他の構成を示す断面図であり、図９（ｂ）は、図９（ａ）の玉枠保持用治具４１の平面図である。玉枠保持用治具４１の複数の保持部材４３は、３つの保持部材４３Ｅ・４３Ｆ・４３Ｇからなっていてもよい。このとき、各保持部材４３Ｅ・４３Ｆ・４３Ｇは、同形状で構成されて、光軸ＡＸ周りに等間隔で配置されている。つまり、各保持部材４３Ｅ・４３Ｆ・４３Ｇは、１つのリングを３等分した形状でそれぞれ形成されている。また、各保持部材４３Ｅ・４３Ｆ・４３Ｇは、それぞれレンズＬ１の径方向に移動して、玉枠３１の保持およびその解除を行う。
【００６５】
この構成では、玉枠３１を玉枠保持用治具４１に固定する際に、３つの保持部材４３Ｅ・４３Ｆ・４３Ｇを全て、レンズＬ１の径方向外側（光軸ＡＸとは反対側）に移動させる。そして、中央のスペースに玉枠３１を上方から入れて設置面４２ａ上に載置し、その後、３つの保持部材４３Ｅ・４３Ｆ・４３Ｇを径方向内側（光軸ＡＸ側）に移動させて、それぞれで玉枠３１のテーパー部３２ａを水平方向に押圧する。これにより、玉枠３１は、３つの保持部材４３Ｅ・４３Ｆ・４３Ｇで水平方向に挟まれた状態で、設置面４２ａ上に保持、固定される。
【００６６】
上記構成においては、３つの保持部材４３Ｅ・４３Ｆ・４３Ｇが全て可動側保持部材を構成するが、これらの保持部材４３を径方向内側に移動させたときに、玉枠３１の外周面３２を周方向において均等に押さえることができ、玉枠３１を安定して保持することができる。また、各保持部材４３を光軸ＡＸとは反対方向に移動させれば、玉枠３１の保持を容易に解除できる。
【００６７】
なお、図９（ａ）（ｂ）では、レンズＬ１の径方向に移動する複数の保持部材４３を、３つの保持部材４３で構成したが、４つ以上の保持部材４３で構成しても、それらを光軸ＡＸ周りに等間隔で配置すれば、上記と同様の効果を得ることができる。
【００６８】
以上、上記した玉枠３１および玉枠保持用治具４１を用い、レンズ調心装置でレンズＬ１の調心を行う場合、玉枠３１を設置面４２ａに確実に設置、固定した状態で、レンズＬ１の調心を行うことができる。つまり、設置面４２ａに対する垂直方向および水平方向の玉枠３１の位置決めを適切に行った状態で、レンズＬ１の調心を行うことができる。これにより、レンズＬ１の調心の精度を向上させることができる。
【００６９】
また、レンズ調心装置を光学性能測定装置として用い、レンズＬ１を含む光学系の光学性能を測定する場合でも上記と同様であり、玉枠３１を設置面４２ａに確実に設置、固定した状態で、光学性能を測定することができるので、光学性能の測定精度を向上させることができる。
【００７０】
なお、上述した構成を適宜組み合わせて玉枠３１および玉枠保持用治具４１を構成するようにしてもよい。
【産業上の利用可能性】
【００７１】
本発明は、少なくとも１個のレンズを保持した玉枠を、玉枠保持用治具の設置面に固定した状態で、レンズの調心や光学性能を測定する装置に利用可能である。
【符号の説明】
【００７２】
３１      玉枠
３２      外周面
３２ａ    テーパー部
４１      玉枠保持用治具
４２      受け部
４２ａ    設置面
４３      保持部材（押圧部材）
４３ａ    端面
４３Ａ    保持部材（押圧部材、可動側保持部材）
４３Ｂ    保持部材（固定側保持部材）
４３Ｃ    保持部材（固定側保持部材）
４３Ｃ１    端面
４３Ｄ    保持部材（押圧部材、可動側保持部材）
４３Ｄ１    端面
４３Ｅ    保持部材（押圧部材）
４３Ｆ    保持部材（押圧部材）
４３Ｇ    保持部材（押圧部材）
ＡＸ    光軸
Ｌ１    レンズ
【図１】
2012093565.tif 000003
【図２】
2012093565.tif 000004
【図３】
2012093565.tif 000005
【図４】
2012093565.tif 000006
【図５】
2012093565.tif 000007
【図６】
2012093565.tif 000008
【図７】
2012093565.tif 000009
【図８】
2012093565.tif 000010
【図９】
2012093565.tif 000011
【図１０】
2012093565.tif 000012